(57)【特許請求の範囲】
【請求項１】
化粧料の繰り出しのために指挿入部が本体に形成され、該指挿入部を通して押し棒を押圧することで押し棒の先端に設けた固形状の組成物である化粧料を本体から繰り出し可能な化粧料容器であって、
前記押し棒は、前部の小径部が後部の大径部より段状に細い径となる概略筒状体であり、
前記本体は、外壁部を形成しており、前記外壁部の先端で内側に入り込んだ状態で内筒が前記外壁部に同軸に配置され、前記外壁部の先端で折り曲げたように、前記外壁部と内筒とを繋ぐ連続部が連続形成され、前記外壁部内面と前記内筒外面との間であって前記連続部の後方空間である装着空間が形成され、内筒の後端には、前進した押し棒の大径部が当接して移動限になる押し棒規制部が形成され、
前記連続部の後端面に弾発部材の先端が止まり、前記弾発部材の後端が前記大径部の前端面に係止して、前記弾発部材の弾発力で前記押し棒を後端向きに押圧するように、前記弾発部材が前記装着空間に収容され、前記押し棒の小径部は先端が閉じ、かつ先端面に凹所の化粧料の取り付け穴が形成されていると共に、前記取り付け穴には、棒状の化粧料の後端の細径の装着部分が嵌着されていることを特徴とする化粧料容器。
【発明の詳細な説明】
【技術分野】
【０００１】
本発明は、指を利用して化粧料を繰り出せる化粧料容器に関する。
【背景技術】
【０００２】
従来、試供品として提供される化粧料容器がある。
【０００３】
その種の化粧料容器として、例えば、特許文献１には、一端を塞いだボディの一端面に１又は数回分の口紅（化粧料）を盛って、他端からボディ内に指を差し込んで支持し、口紅を唇に塗るようにした試供用口紅が開示されている。
【０００４】
また、特許文献２には、プラスチック製の筒状体を片側だけ塞ぎ、その上に眉墨（化粧料）のペンシルを取り付け、人差し指をその筒状体に差し込み指先感覚で眉を描く化粧道具が開示されている。
【０００５】
前記特許文献１〜２の従来の化粧料容器は、双方とも容器の後端から指を挿入して塗布等の作業を行えるものである。
【０００６】
しかしながら、前記従来の化粧料容器は、不使用時においては化粧料が容器端面から突出したままとなり、鞄等に収容した持ち運び時に不用意に外部に付着しやすい等、携帯性に問題がある。
【０００７】
この場合、前記特許文献１では、キャップを嵌めるなどして化粧料で不用意に汚さないように一応できる。しかしながら、キャップは紛失しやすい等、不便であるので、キャップのない携帯性に優れた構成が望まれる。
【先行技術文献】
【特許文献】
【０００８】
【特許文献１】実用新案登録３０６８２８７号公報
【特許文献２】特開平１１−８９６３４号公報
【発明の概要】
【発明が解決しようとする課題】
【０００９】
本発明は、斯かる実情に鑑み、化粧料を押し出し可能で携帯性に優れた化粧料容器を提供しようとするものである。
【課題を解決するための手段】
【００１０】
本発明は、化粧料の繰り出しのために指挿入部が本体に形成され、該指挿入部を通して押し棒を押圧することで押し棒の先端に設けた化粧料を本体から繰り出し可能な化粧料容器であって、
押し棒を後端向きに押圧する弾発部材が本体内に収容されていることを特徴とする化粧料容器である。
【００１１】
本発明において、指挿入部の径が１５ｍｍ(ミリメートル)〜２５ｍｍ(ミリメートル)であることが好適である。
【００１２】
本発明において、弾発部材の荷重が初期５０ｇ(グラム)以下、突出時５００ｇ(グラム)以下であることが好適である。
【００１３】
本発明において、本体内の後端付近に軸心方向に突部が形成されたことが好適である。
【００１４】
本発明において、前記本体の先端の開口から化粧料が出没する構成を有し、化粧料が本体内に引っ込んだときに、前記開口を塞ぐ蓋部材を設けたことが好適である。
【発明の効果】
【００１５】
本発明の化粧料容器によれば、本体の指挿入部から、指を挿入して押し棒を押圧することにより化粧料を押し出し可能であり、指を引くと、弾発部材で押し棒が後端向きに押圧されるので、前記化粧料が弾発部材の弾発力で本体内に引っ込み収容されるので、コンパクトになり場所を取らず、携帯性に優れた化粧料容器を提供できるという効果を奏し得る。
【００１６】
なお、前記本体の先端の開口から化粧料が出没する構成を有し、化粧料が本体内に引っ込んだときに、前記開口を塞ぐ蓋部材を設けたものにできる。つまり、化粧料が本体内に引っ込んだときに、前記開口を塞ぐ蓋部材として、自動開閉式の蓋部材の構成が可能である。この構成により、未使用時に化粧料が露出することを確実に防止できるので携帯性の向上を更に図ることができる。
【図面の簡単な説明】
【００１７】
【図１】本発明の実施形態の化粧料容器における未使用時(化粧料収容時)の全体説明図で、（ａ）が後方からの斜視図、（ｂ）が後方からの視図、（ｃ）が正面図、（ｄ）が（ｂ）のＤ−Ｄ線に沿う断面図、（ｅ）が先方からの斜視図、（ｆ）が先方からの視図がある。
【図２】図１の化粧料容器における使用時(化粧料突出時)の全体説明図で、（ａ）が先方からの斜視図、（ｂ）が正面図、（ｃ）が（ｄ）のＣ−Ｃ線に沿う断面図、（ｄ）が先方からの視図がある。
【図３】図１の化粧料容器における押し棒の部品図で、（ａ）が後方からの斜視図、（ｂ）が後方からの視図、（ｃ）が正面図、（ｄ）が（ｂ）のＤ−Ｄ線に沿う断面図、（ｅ）が先方からの斜視図、（ｆ）が先方からの視図がある。
【図４】図１の化粧料容器における本体の部品図で、（ａ）が後方からの視図、（ｂ）が先方からの斜視図、（ｃ）が正面図、（ｄ）が（ａ）のＤ−Ｄ線に沿う断面図、（ｅ）が先方からの視図がある。
【発明を実施するための形態】
【００１８】
以下、本発明の実施形態について添付図面を参照して説明する。
【００１９】
図１、図２は、実施形態に係る化粧料容器の全体図、図３は押し棒、図４は本体の部品図である。
【００２０】
図１、図２に示すように、化粧料容器は、化粧料１０の繰り出しのために指挿入部１２が本体(容器本体)１４の後部の開口から前部内に渡って形成され、該指挿入部１２を通して押し棒１６を押圧することで押し棒１６の先端に設けた化粧料１０を繰り出し可能な化粧料容器であり、押し棒１６を後端向きに押圧する弾発部材（スプリング）１８が本体１４内に収容されているものである。
【００２１】
〔化粧料１０〕
前記化粧料１０は、充実棒状に形成され後端部に細径の装着部分１０ａが形成されている。前記化粧料１０の材質には、各種のワックス、油剤、粉体を主成分とした固形状の組成物を用いることができる。
【００２２】
〔押し棒１６〕
前記押し棒１６は、図３に示すように、前部の小径部１６ａが後部の大径部１６ｂより段状に細い径となる概略筒状体である。その小径部１６ａは先端が閉じ、かつ先端面に凹所の化粧料の取り付け穴１６ｃが形成されている。取り付け穴１６ｃには、棒状の化粧料１０の後端の細径の装着部分１０ａが嵌着されている。なお、化粧料１０の装着部分は突出する形状に限られず、化粧料の後端に凹所を形成し、前記押し棒１６の先端部に突起を形成して、前記凹所に前記突起を装着して固定することもできる。
【００２３】
当該大径部１６ｂは後方の解放した空間であり、その大径部１６ｂの内部空間が指を挿入して押し棒１６の後端面（大径部１６ｂ内の押し圧面）を押すための指挿入部１２になっている。指挿入部１２の径が１５ｍｍ〜２５ｍｍであることが好適である。図３に示すように、指（破線２２で示す）の先端を挿入して大径部１６ｂの後端面１６ｂ１も押圧面になる。
【００２４】
〔本体１４〕
本体１４は、図４に示すように、外壁部を形成しており、その先端で内側に入り込んだ状態で内筒１４ａが同軸に配置され、先端で本体１４に折り曲げたように（連続部１４ｃ）連続形成している。本体１４内面と内筒１４ａ外面との間であって連続部１４ｃの後方空間が弾発部材１８の装着空間１４ｃ１になる。
【００２５】
また、内筒１４ａの後端が、前進した押し棒１６の大径部１６ｂが当接して移動限になるという、押し棒規制部１４ａ１になる(図２(ｃ)、図４参照)。
【００２６】
また、本体１４の後端内部付近には、内側の軸心方向に突出する突部（アンダーカット）１４ｂが形成される。突部１４ｂは、押し棒１６を本体１４内に装着した際の抜け止めになる(図１(ｄ)、図４参照)。
【００２７】
また、本体１４の連続部１４ｃの前端面は、内周側に面取り１４ｄがされている。
【００２８】
前記押し棒１６が本体１４に装着する組み立て時には、図４の矢印Ｆ方向に前記押し棒１６を押し込む。
【００２９】
前記押し棒１６が本体１４に装着された状態では、図１に示すように、内筒１４ａの内部に前記押し棒１６の小径部１６ａが装着される。また、前記本体１４と内筒１４ａとの間にコイルスプリングからなる弾発部材１８が装着され、前記連続部１４ｃに前記弾発部材１８の一端が止まり、一方、弾発部材１８の他端が大径部１６ｂの前端面に係止する。
【００３０】
〔未使用状態の説明〕
図１に示す状態が、化粧料容器の未使用状態である。本体１４に対して弾発部材１８の弾発力で化粧料１０が引っ込んでいる。この場合、圧縮されていない前記弾発部材１８の荷重が初期５０ｇｆ(グラム重：グラムと同じ)以下となるのが好ましい。この荷重であれば、未使用時に弾発部材１８の弾発力で押し棒１６が確実に後方に位置して仮に移動時に振動等によっても化粧料１０ががたついても前方に露出させないので適切な値となる。
【００３１】
〔使用状態の説明〕
図２に示す状態が、化粧料容器の使用状態である。使用者が本体１４の指挿入部１２に指を挿入して押し棒１６を押す。指の力を入れて押し棒１６を弾発部材１８の弾発力に抗して圧縮させて前進させ、化粧料１０を本体１４の前端面から突出させる。その際には、圧縮された弾発部材１８の弾発力で荷重が５００ｇｆ(グラム重：グラムと同じ)以下であることが好適である。荷重がそれ以上であると重くなり、使いにくくなるので、指で押す力としてちょうどよい。
【００３２】
なお、指の力を抜くと、弾発部材１８の弾発力によって押し棒１６が後退し、化粧料１０が引っ込み、図１の未使用状態になる。
【００３３】
実施形態の化粧料容器によれば、本体１４の指挿入部１２から、指を挿入して押し棒１６を押圧することにより化粧料を押し出し可能である。そして、指を引くと、弾発部材１８の弾発力で押し棒１６が後端向きに押圧されるので、化粧料１０が本体１４内に引っ込み収容されることから、コンパクトになり場所を取らず、携帯性に優れた化粧料容器を提供できる。
【００３４】
また、化粧料としてリップや口紅とすれば、片手で使用できるリップスティックや口紅容器を提供できる
【００３５】
また、前記化粧料容器は、化粧料１０、本体１４、押し棒１６、弾発部材１８の部品点数４点のシンプルな構造とすることができる。
【００３６】
また、前記化粧料容器は、指で直接押すので、指先で塗っているような一体感を得られる。
【００３７】
また、前記化粧料容器は、弾発部材１８で常に化粧料１０が本体１４内に収容されるので汚れない。
【００３８】
なお、本発明は、種々に変形実施できる。
例えば、前記化粧料容器は、前記本体１４の先端の開口から化粧料１０が出没する構成を有しているが化粧料１０が本体１４内に引っ込んだときに、前記開口を塞ぐ蓋部材を設け、自動開閉式の蓋部材の構成にできる。この構成により、未使用時に化粧料が露出することを確実に防止できるので携帯性の向上を更に図ることができる。
【産業上の利用可能性】
【００３９】
本発明の化粧料容器は、リップスティックや口紅容器等の化粧料容器に利用することができる。
【符号の説明】
【００４０】
１０  化粧料
１０ａ  装着部分
１２  指挿入部
１４  本体
１４ａ  内筒
１４ａ１  押し棒規制部
１４ｂ  突部
１４ｃ  連続部
１４ｃ１  装着空間
１６  押し棒
１６ａ  小径部
１６ｂ  大径部
１６ｂ１  後端面
１６ｃ  取り付け穴
１８  弾発部材
２２  指を示す二点破線
【図１】
0006741404.tif 000002
【図２】
0006741404.tif 000003
【図３】
0006741404.tif 000004
【図４】
0006741404.tif 000005